(57)【特許請求の範囲】
【請求項１】
被切断材を切断するための切断刃と、
該切断刃を駆動させるモータと、
ベース部からなり該被切断材を支持可能な支持台部と、
交流電源又は直流電源から選択的に電力供給を受け、該モータの駆動に適した電力を該モータへ供給可能な電源部と、
該モータを収容し該切断刃を回転可能に支承し上下方向に揺動可能な切断部と、
該ベース部の後部に該ベース部の上面に対して傾動可能に立設し、該切断部を該ベース部上面に対して上下揺動自在に支持するホルダと、を備え、
該ベース部は、ベースとターンテーブルとを備え、
該ベースは、該ターンテーブルを挟むように位置する左ベース及び右ベースを有し、
該ターンテーブルは、該ベース上に支持されて該ベースと共に該被切断材を支持し該ベースに対して回動可能であり、
該電源部は、ユニバーサル充電器を有し、
該ユニバーサル充電器は、該左ベース及び該右ベースのうちのいずれか一方のベース内に位置して収容されていることを特徴とする切断機。
【請求項２】
該電源部は、該ユニバーサル充電器へ電力を供給可能な太陽電池を備えていることを特徴とする請求項１記載の切断機。
【請求項３】
該ユニバーサル充電器は、差込式充電池及びスライド式充電池を充電可能であることを特徴とする請求項１記載の切断機。
【請求項４】
該電源部は、該モータと該ユニバーサル充電器とに対して同時に電力を供給可能であることを特徴とする請求項１記載の切断機。
【請求項５】
該電源部は、交流電源からの電力供給と直流電源からの電力供給とを選択的に切換えるためのスイッチを有することを特徴とする請求項１記載の切断機。
【請求項６】
該スイッチは該切換えを自動で行う自動スイッチからなることを特徴とする請求項５記載の切断機。
【請求項７】
該自動スイッチは、該電源部に該交流電源が接続されている場合には該交流電源に基づく電力を該モータへ供給可能に切換わり、該交流電源が接続されていない場合には該直流電源に基づく電力を該モータへ供給可能に切換わることを特徴とする請求項６記載の切断機。
【請求項８】
該スイッチは手動で切換が可能な手動スイッチにより構成されていることを特徴とする請求項５記載の切断機。
【請求項９】
該電源部には、直流電源たる複数の電池を接続可能であることを特徴とする請求項１記載の切断機。
【請求項１０】
該電源部は、該電池を保護するための保護回路を有していることを特徴とする請求項９記載の切断機。
【請求項１１】
該モータは交流モータからなり、
該電源部は該直流電源からの電力を昇圧させて該交流モータへ供給することを特徴とする請求項１記載の切断機。
【請求項１２】
該モータは直流モータからなり、
該電源部は該交流電源からの電力を降圧させて該直流モータへ供給することを特徴とする請求項１記載の切断機。
【請求項１３】
該直流モータはブラシレスモータからなることを特徴とする請求項１２記載の切断機。
【請求項１４】
該交流電源と該直流電源とのうちのいずれかが該モータへ電力を供給していることを視認可能な駆動電源表示ランプを有することを特徴とする請求項１記載の切断機。
【請求項１５】
電源部には該直流電源たる電池を接続可能であり、該電池の残量を表示する電池残量ランプを有することを特徴とする請求項１記載の切断機。
【発明の詳細な説明】
【技術分野】
【０００１】
本発明は切断機に関し、特にモータを備え、電力がモータに供給されてモータが駆動することにより切断刃が駆動する切断機に関する。
【背景技術】
【０００２】
ベース部上に被切断材を載置して切断刃を上下に揺動させることにより被切断材を切断する切断機（卓上丸鋸）が従来より知られている。切断機はベース部と、ヘッド部たる切断部とを有しており、ベース部を構成するターンテーブル上面には被切断材たる木材が設置される。切断部にはモータと丸のこ刃とを備えており、丸のこ刃は上下方向に揺動可能であると共にベース部の上面に対して傾動可能に構成されている。モータに交流電源からの電力が供給されモータが駆動し丸のこ刃が回転した状態で、切断部を木材に近づける方向である下方へ揺動させて木材を切断することができるように構成されている。このような切断機は、例えば、特開２００５−２７９９３３号公報（特許文献１）に記載されている。
【先行技術文献】
【特許文献】
【０００３】
特開２００５−２７９９３３号公報
【発明の概要】
【発明が解決しようとする課題】
【０００４】
しかし、従来の切断機では、前述のようにモータに交流電源から電力が供給されてモータが駆動する構成であったため、電源プラグ及び電源コードを介してコンセントから電源を供給する必要があった。従って、切断機を使用する場所は、電源プラグがコンセントに届く範囲内に限定されていた。
【０００５】
そこで、本発明は、コンセントに電源プラグを差し込むことができない場所であっても使用することができる切断機を提供することを目的とする。
【課題を解決するための手段】
【０００６】
上記目的を達成するために、本発明は、被切断材を切断するための切断刃と、該切断刃を駆動させるモータと、ベース部からなり該被切断材を支持可能な支持台部と、交流電源又は直流電源から選択的に電力供給を受け、該モータの駆動に適した電力を該モータへ供給可能な電源部と、該モータを収容し該切断刃を回転可能に支承し上下方向に揺動可能な切断部と、該ベース部の後部に該ベース部の上面に対して傾動可能に立設し、該切断部を該ベース部上面に対して上下揺動自在に支持するホルダと、を備え、該ベース部は、ベースとターンテーブルとを備え、該ベースは、該ターンテーブルを挟むように位置する左ベース及び右ベースを有し、該ターンテーブルは、該ベース上に支持されて該ベースと共に該被切断材を支持し該ベースに対して回動可能であり、該電源部は、ユニバーサル充電器を有し、該ユニバーサル充電器は、該左ベース及び該右ベースのうちのいずれか一方のベース内に位置して収容されている切断機を提供している。
【０００７】
交流電源又は直流電源から選択的に電力供給を受け、モータの駆動に適した電力をモータへ供給可能な電源部を備えるため、コンセントが近くにない場所でも電池等の直流電源からモータへ電力を供給することができ、切断作業を可能とすることができる。
【０００８】
電源部はユニバーサル充電器を有しているため、異なる種類の充電池を装着して充電することができ、充電された充電池を用いてモータを駆動させることができる。また、ユニバーサル充電器は、いずれか一方のベース内に位置して収容されているため、ベース内のデッドスペースをユニバーサル充電器の収容場所として有効活用することができる。
【０００９】
また、該電源部は、該ユニバーサル充電器へ電力を供給可能な太陽電池を備えていることが好ましい。電源部は、ユニバーサル充電器へ電力を供給可能な太陽電池を備えているため、コンセントが近くにない場所であってもユニバーサル充電器において充電池を充電することができる。
【００１２】
また、該ユニバーサル充電器は、差込式充電池及びスライド式充電池を充電可能であることが好ましい。ユニバーサル充電器は、差込式充電池及びスライド式充電池を充電可能であるため、必要に応じてスライド式充電池を用いたり差込式充電池を用いたりすることができる。
【００１３】
また、該電源部は、該モータと該ユニバーサル充電器とに対して同時に電力を供給可能であることが好ましい。電源部は、モータとユニバーサル充電器とに対して同時に電力を供給可能であるため、交流電源を用いてモータを駆動して切断作業をすると同時に充電池を充電することができる。
【００１４】
また、該電源部は、交流電源からの電力供給と直流電源からの電力供給とを選択的に切換えるためのスイッチを有することが好ましい。電源部は、交流電源からの電力供給と直流電源からの電力供給とを選択的に切換えるためのスイッチを有するため、必要に応じて交流電源を選択したり直流電源を選択したりすることができる。
【００１５】
また、該スイッチは該切換えを自動で行う自動スイッチからなることが好ましい。スイッチは切換えを自動で行う自動スイッチからなるため、切断機のユーザがスイッチの切換えを行わずに済み、切断機の操作性を高めることができる。
【００１６】
また、該自動スイッチは、該電源部に該交流電源が接続されている場合には該交流電源に基づく電力を該モータへ供給可能に切換わり、該交流電源が接続されていない場合には該直流電源に基づく電力を該モータへ供給可能に切換わることが好ましい。
【００１７】
自動スイッチは、電源部に交流電源が接続されている場合には交流電源に基づく電力をモータへ供給可能に切換わり、交流電源が接続されていない場合には直流電源に基づく電力をモータへ供給可能に切換わるため、直流電源と交流電源との両方を利用可能な状態のときに、交流電源を優先的に利用することができる。
【００１８】
また、該スイッチは手動で切換が可能な手動スイッチにより構成されていることが好ましい。スイッチは手動で切換が可能な手動スイッチにより構成されているため、切断機のユーザが任意にスイッチの切換えを行うことができる。
【００１９】
また、該電源部には、直流電源たる複数の電池を接続可能であることが好ましい。電源部には、直流電源たる複数の電池を接続可能であるため、１つの電池で駆動する場合と比較して大きな電力でモータを駆動させることができる。
【００２０】
また、該電源部は、該電池を保護するための保護回路を有していることが好ましい。電源部は、電池を保護するための保護回路を有しているため、電池が破損してしまうことを防止することができる。
【００２１】
また、該モータは交流モータからなり、該電源部は該直流電源からの電力を昇圧させて該交流モータへ供給することが好ましい。モータは交流モータからなり、電源部は直流電源からの電力を昇圧させて交流モータへ供給するため、直流電源に基づく電力により交流モータを駆動させることができる。
【００２２】
また、該モータは直流モータからなり、該電源部は該交流電源からの電力を降圧させて該直流モータへ供給することが好ましい。
【００２３】
モータは直流モータからなり、電源部は交流電源からの電力を降圧させて直流モータへ供給するため、交流電源に基づく電力により直流モータを駆動させることができる。
【００２４】
また、該直流モータはブラシレスモータからなることが好ましい。直流モータはブラシレスモータからなるため、モータを収容する切断機の部分の小型を図ることができる。
【００２５】
また、該交流電源と該直流電源とのうちのいずれかが該モータへ電力を供給していることを視認可能な駆動電源表示ランプを有することが好ましい。交流電源と直流電源とのうちのいずれかがモータへ電力を供給していることを視認可能な駆動電源表示ランプを有するため、交流電源と直流電源とのうちのどちらの電源を使用しているかを視認することができる。
【００２６】
また、電源部には該直流電源たる電池を接続可能であり、該電池の残量を表示する電池残量ランプを有することが好ましい。
【００２７】
直流電源たる電池を接続可能であり、電源部は電池の残量を表示する電池残量ランプを有するため、電池交換の時期又は電池の充電が必要となる時期を認識しながら切断作業をすることができる。
【発明の効果】
【００２８】
以上より本発明は、コンセントに電源プラグを差し込むことができない場所であっても使用することができる切断機を提供することができる。
【図面の簡単な説明】
【００２９】
【図１】本発明の第１の実施の形態による切断機を示す左側面図。
【図２】本発明の第１の実施の形態による切断機を示す平面図。
【図３】本発明の第１の実施の形態による切断機の充電ボックスを示す要部側面図。
【図４】図３のＩＶ−ＩＶ線に沿った要部断面図。
【図５】本発明の第１の実施の形態による切断機においてコンセントからの電力がモータに供給されている状態を示す回路図。
【図６】本発明の第１の実施の形態による切断機においてリチウムイオン電池からの電力がモータに供給されている状態を示す回路図。
【図７】本発明の第１の実施の形態による切断機の動作を示すフローチャート。
【図８】本発明の第２の実施の形態による切断機を示す左側面図。
【図９】本発明の第２の実施の形態による切断機を示す平面図。
【図１０】本発明の第２の実施の形態による切断機の充電ボックスを示す要部側面図。
【図１１】図１０のＸＩ−ＸＩ線に沿った要部断面図。
【図１２】本発明の第２の実施の形態による切断機においてコンセントからの電力がモータに供給されている状態を示す回路図。
【図１３】本発明の第２の実施の形態による切断機においてリチウムイオン電池からの電力がモータに供給されている状態を示す回路図。
【図１４】本発明の第２の実施の形態による切断機の動作を示すフローチャート。
【図１５】本発明の第３の実施の形態による切断機の動作を示すフローチャート。
【図１６】本発明の第４の実施の形態による切断機の動作を示すフローチャート。
【図１７】本発明の第５の実施の形態による切断機においてコンセントからの電力がモータに供給されている状態を示す回路図。
【図１８】本発明の第５の実施の形態による切断機においてリチウムイオン電池からの電力がモータに供給されている状態を示す回路図。
【図１９】本発明の第５の実施の形態による切断機の動作を示すフローチャート。
【図２０】本発明の第６の実施の形態による切断機においてコンセントからの電力がモータに供給されている状態を示す回路図。
【図２１】本発明の第６の実施の形態による切断機においてリチウムイオン電池からの電力がモータに供給されている状態を示す回路図。
【図２２】本発明の第７の実施の形態による切断機の動作を示すフローチャート。
【図２３】本発明の第８の実施の形態による切断機を示す右側面図。
【図２４】本発明の変形例による切断機を示す右側面図。
【図２５】本発明の変形例による切断機を示す正面図。
【発明を実施するための形態】
【００３０】
本発明の第１の実施の形態による切断機について、図１乃至図７に基づき説明する。図１に示される切断機である卓上丸鋸１は、スライド機構を備えた卓上丸鋸であり、ベース部２と、切断部３とから主に構成されている。
【００３１】
ベース部２は、被切断部材である木材を載置するベース２１と、ベース２１上に回動可能に担持されたターンテーブル２２と、ベース２１に設けられたフェンス２３とを有している。ベース２１は、図２に示すように、一対の左ベース２１Ａと右ベース２１Ｂとから構成されている。ベース部２は支持台部に相当する。これら左ベース２１Ａと右ベース２１Ｂとが並んでいる方向を左右方向と定義し、ベース２１の木材を載置する面の上方（図１の上方）を上方、その反対を下方と定義する。
【００３２】
左ベース２１Ａには充電（電源）ボックス収容枠２１Ｃ（図４）が設けられている。充電ボックス収容枠２１Ｃは、左ベース２１Ａ内に形成されたデッドスペース内に左ベース２１Ａに固定されて設けられている。充電ボックス収容枠２１Ｃには、充電ボックス収容枠２１Ｃを貫通する貫通孔が形成されており、貫通孔を形成する左ベース２１Ａの部分には雌ネジが螺刻されている。雌ネジにはネジ２１Ｅが螺合している。充電ボックス収容枠２１Ｃ内には充電ボックス２１Ｄが収容されており、ネジ２１Ｅを締めることによりネジ２１Ｅの先端部が充電ボックス２１Ｄに当接し、充電ボックス２１Ｄを充電ボックス収容枠２１Ｃ内に固定できる。ネジ２１Ｅを緩めることにより、充電ボックス２１Ｄを左方へ移動させて充電ボックス収容枠２１Ｃ外へ取り外すことができるように構成されている。
【００３３】
充電ボックス２１Ｄは複数種類の二次電池を充電可能な汎用充電器２１Ｄ´を内部に収納しており、また、二次電池挿入孔２１ａ（図４）が形成されている。二次電池挿入孔２１ａには、差込式電池たるリチウムイオン電池２１Ｆを挿入可能である。挿入された状態のリチウムイオン電池２１Ｆは後述のモータ３８へ電力を供給可能であり、また、後述の交流電源たるコンセントからの電力の供給により充電可能である。
【００３４】
ターンテーブル２２の上面には一直線状の図示せぬ溝部が形成されている。図示せぬ溝部は、後述の丸のこ刃３１が下方に揺動してターンテーブル２２と交わったときの交線位置にあり、丸のこ刃３１の刃先を収容可能である。
【００３５】
ターンテーブル２２は、右ベース２１Ｂと左ベース２１Ａとの間に配置されている。図１に示されるように、ターンテーブル２２は、略円台状のターンテーブル本体部２２Ａと、ターンテーブル本体部２２Ａの一方側に突出しターンテーブル２２を回転させるためのハンドル２２Ｂと、他方側に設けられた後述のホルダ４０を支持する切断部支持部２２Ｃとから構成されている。ハンドル２２Ｂがターンテーブル２２より突出している方向であって左右方向（図２）と直交する方向を前方、反対を後方と定義する。なお、ターンテーブル本体部２２Ａは、図２に示すように、ベース２１の上方に位置する略円台状部分と、略円台状部分から前方に突出しハンドル２２Ｂが取付けられる突出部から構成される。
【００３６】
フェンス２３は、ベース２１上であって、ターンテーブル２２の上部位置に設けられている。フェンス２３は、図２に示すように、左ベース２１Ａ及び右ベース２１Ｂに対応して左フェンス２３Ａ及び右フェンス２３Ｂとにより構成されている。左フェンス２３Ａ及び右フェンス２３Ｂの前面は、同一平面状に位置するように配置され、被切断材の位置を規定する。
【００３７】
ターンテーブル２２の切断部支持部２２Ｃには、前述の図示せぬ溝部の延長線上に位置し溝部の延長線と平行な位置関係をなすホルダシャフト２２Ｄと、切断部３が任意の傾斜角度で固定される立設部２２Ｅとが設けられている。
【００３８】
切断部支持部２２Ｃにはホルダ４０が立設している。ホルダ４０の下端はホルダシャフト２２Ｄによって支承されている。ホルダシャフト２２Ｄの軸心はターンテーブル２２上面とほぼ一致させられており、ホルダ４０はホルダシャフト２２Ｄを回動支点としてターンテーブル２２の上面に対して左右傾斜自在となっている。ホルダシャフト２２Ｄはホルダ４０に図示せぬネジ等によって固定されており、ホルダ４０を傾斜させると、傾動の軸となるホルダシャフト２２Ｄもホルダ４０と一体回転する。
【００３９】
立設部２２Ｅには、ホルダシャフト２２Ｄを中心とする図示せぬ略円弧状の長穴が形成されている。図示せぬ長穴にはクランプレバー４０Ａが貫通しており、クランプレバー４０Ａの先端に設けられたねじ部がホルダ４０背面に形成されたねじ穴部に螺合している。クランプレバー４０Ａを緩めると、ホルダ４０はホルダシャフト２２Ｄを支点としてクランプレバー４０Ａが図示せぬ長穴の範囲内で相対的に移動できる範囲で傾動可能となる。ホルダ４０が任意の角度に傾斜しているときに、クランプレバー４０Ａを締め付けると、クランプレバー４０Ａとホルダ４０間でターンテーブル２２の立設部１２Ｂが締め付けられ、ホルダ４０は傾動不能に固定される。なお、図示せぬ長穴は、ホルダ４０がターンテーブル２２上面に対して垂直の状態から左側へ４５°程度傾動できる範囲内で形成されている。
【００４０】
ホルダ４０は、卓上丸鋸１の略上方に向かって延出しており、延出端には第１端部保持部材４０Ｂが設けられている。第１端部保持部材４０Ｂには、前後方向に指向する鉄製の中空のパイプ５０、５１がそれぞれ合計で２本保持されている。
【００４１】
２本のパイプ５０、５１は、図１に示すように、一端がそれぞれ後述の第２端部保持部材５３によって覆われて保持され、他端がそれぞれ前述の第１端部保持部材４０Ｂによって覆われて保持されることにより略平行に配置されて一対をなしている。一対のパイプ５０、５１の軸心を含む仮想平面は、後述の切断部３の揺動軸３２に対して略直交する位置関係をなす。
【００４２】
切断部３は、図１に示すように、後述の丸のこ刃３１の回転軸３１Ａに平行に配置された揺動軸３２を有している。切断部３は、揺動軸３２に揺動可能に支持された丸のこ刃３１等と、丸のこ刃３１等をパイプ５０、５１に沿って摺動可能に支持する摺動支持部３６とを備えている。
【００４３】
揺動支持部３６には前後方向に指向する２つの図示せぬ貫通孔が形成されている。図示せぬ貫通孔は、前後方向に垂直な面で切った断面が略円形状をしており、一対のパイプ５０、５１がそれぞれ貫通している。図示せぬ貫通孔の内径はパイプ５０、５１の外径よりも大きく、この構成により揺動支持部３６は、一対のパイプ５０、５１を環装した状態で一対のパイプ５０、５１に対して摺動可能である。図示せぬ貫通孔の指向する方向、即ち、パイプ５０、５１に対する揺動支持部３６の摺動方向は、後述の揺動軸３２に対して略直交する方向に一致する。このような構成により、一対のパイプ５０、５１は、摺動支持部３６を介して切断部３を支持している。
【００４４】
図示せぬ貫通孔は鉛直上下方向に配置されているため、一対のパイプ５０、５１の軸心を含む仮想平面は、後述の丸のこ刃３１の揺動方向と略平行な位置関係をなす。一対のパイプ５０、５１に対して摺動支持部３６が摺動することにより、揺動軸３２に対して略直交する方向に丸のこ刃３１も移動するように構成されている。
【００４５】
丸のこ刃３１は、切断部３に設けられた切断部ハウジング３Ａ内において回転軸３１Ａを中心に回転可能に支承されている。丸のこ刃３１の上部は切断部ハウジング３Ａ内に収容されており、丸のこ刃３１の下部は切断部ハウジング３Ａから下方へ向けて切断部ハウジング３Ａの外部へ露出可能である。当該露出可能な部分は、丸のこ刃３１により切断を行わないときにはセフティカバー３２により覆われている。
【００４６】
切断部３の上部には、図１に示すようにハンドル３７が設けられており、ハンドル３７には、後述の電源コード３７Ｅを通してコンセントから供給される交流電力と、後述の二次電池たるリチウムイオン電池２１Ｆから供給される直流電力とのいずれかを選択して後述のモータ３８へ供給するための手動スイッチ３７Ａが設けられている。また、ハンドル３７には、リチウムイオン電池２１Ｆの残量を表示する電池残量ランプ３７Ｂと、交流電力に基づく電力により後述のモータ３８が駆動しているのか直流電力に基づく電力により後述のモータ３８が駆動しているのかを視認可能な駆動電源表示ランプ３７Ｃとが設けられている。またハンドル３７には、卓上丸鋸１のユーザが指で操作することにより丸のこ刃３１の駆動を開始させるためのトリガスイッチ３７Ｄが設けられている。
【００４７】
切断部３は、図示せぬリターンスプリングによって上方へと常時付勢されている。このため、非切断時に卓上丸鋸１のユーザによって切断部３が下方へ押下げられていないときには、図１に示すように、図示せぬストッパ機構によって最も鉛直上方に位置するように構成されている。
【００４８】
切断部３の切断部ハウジング３Ａ内にはモータ３８（図５等）が設けられており、切断部ハウジング３Ａには電源コード３７Ｅ（図１等）が接続されている。電源コード３７Ｅの先端に設けられているプラグ３７Ｆをコンセントに差し込むことにより、卓上丸鋸１は、交流電源からの電源供給を受けることができるようになり、モータ３８へ電力を供給可能となり、電力が供給されることにより駆動するモータ３８の駆動力により丸のこ刃３１が回転するように構成されている。
【００４９】
図５に示すように、卓上丸鋸１のモータ３８は交流モータ３８−１により構成されており、交流モータ３８−１は手動スイッチ３７Ａを介して電源コード３７Ｅに接続可能である。また、汎用充電器２１Ｄ´は電源コード３７Ｅに接続されており、電源コード３７Ｅを通して供給される交流電力によりリチウムイオン電池２１Ｆを充電可能である。汎用充電器２１Ｄ´に装着されたリチウムイオン電池２１Ｆはインバータ３８Ａを介して手動スイッチ３７Ａに接続されている。
【００５０】
図５に示すように手動スイッチ３７Ａが切換えられたときには、交流電力が交流モータ３８−１に供給される。図６に示すように手動スイッチ３７Ａが切換えられたときには、リチウムイオン電池２１Ｆが供給する直流電力はインバータ３８Ａにより交流電力に変換され昇圧され、交流モータ３８−１に供給されるように構成されている。電源コード３７Ｅ、手動スイッチ３７Ａ、インバータ３８Ａ、汎用充電器２１Ｄ´は電源部を構成する。なお、手動スイッチ３７Ａが交流側に接続されている状態（図５）において、汎用充電器２１Ｄ’は電源コード３７Ｅを介してコンセントに接続されているため、交流モータ３８−１を駆動中に汎用充電器２１Ｄ’に接続された二次電池を充電することも可能である。
【００５１】
卓上丸鋸１を使用する際には、卓上丸鋸１のユーザは、図７に示すように、先ず卓上丸鋸１のプラグ３７Ｆをコンセントに差込可能か否かを判断し（Ｓ１）、差込可能であれば（Ｓ１：ＹＥＳ）、ユーザはプラグ３７Ｆをコンセントに差し込み、卓上丸鋸１が交流電力の供給を受けることができる側、即ち図５の状態にユーザーが電源切り替えスイッチを切換える（Ｓ２）。そして、ユーザはトリガスイッチ３７Ｄを操作することにより（Ｓ３）交流モータ３８−１が駆動し、丸のこ刃３１が回転する。
【００５２】
プラグ３７Ｆをコンセントに差込不能であれば（Ｓ１：ＮＯ）、次にリチウムイオン電池２１Ｆが汎用充電器２１Ｄ´内にあるか否かを判断する（Ｓ４）。リチウムイオン電池２１Ｆがあれば（Ｓ４：ＹＥＳ）、卓上丸鋸１がリチウムイオン電池２１Ｆからの直流電力の供給を受けることができる側、即ち図６の状態にユーザーが電源切り替えスイッチを切換える（Ｓ５）。このことにより直流電力がインバータ３８Ａにより交流電力に変換可能な状態となり（Ｓ６）、ユーザがトリガスイッチ３７Ｄを操作することにより（Ｓ３）交流モータ３８−１が駆動し、丸のこ刃３１が回転する。
【００５３】
交流電源又は直流電源から選択的に電力供給を受け、モータ３８の駆動に適した電力をモータ３８へ供給可能であるため、コンセントが近くにない場所でも直流電源たるリチウムイオン電池２１Ｆからモータ３８へ電力を供給することができ、切断作業を可能とすることができる。
【００５４】
また、交流電源からの電力供給と直流電源からの電力供給とを選択的に切換えるための手動スイッチ３７Ａを有するため、必要に応じて交流電源を選択したり直流電源を選択したりすることができる。また、卓上丸鋸１のユーザーが任意にスイッチの切換えを行うことができる。また、モータ３８は交流モータ３８−１からなり、電源部は直流電源からの電力を昇圧させて交流モータ３８−１へ供給するため、直流電源に基づく電力により交流モータ３８−１を駆動させることができる。
【００５５】
また、交流電源と直流電源とのうちのいずれかがモータ３８へ電力を供給していることを視認可能な駆動電源表示ランプ３７Ｃを有するため、交流電源と直流電源とのうちのどちらの電源を使用しているかを視認することができる。
【００５６】
また、電池の残量を表示する電池残量ランプ３７Ｂを有するため、電池交換の時期又は電池の充電が必要となる時期を認識しながら切断作業をすることができる。
【００５７】
次に、第２の実施の形態について図８乃至図１１に基づき説明する。第２の実施の形態では、太陽電池１２１Ｇが設けられている点、充電ボックス１２１Ｄは差込式とスライド式の２つ種類の二次電池を同時に充電（接続）可能なユニバーサル充電器１２１Ｄ´を有している点で第１の実施の形態とは異なる。これ以外は第１の実施の形態と同一である。
【００５８】
ユニバーサル充電器１２１Ｄ´は、充電ボックス１２１Ｄ内に収納されており、差込式のリチウムイオン電池２１Ｆとスライド式のリチウムイオン電池１２１Ｆとの２種類の電池を充電可能である。スライド式のリチウムイオン電池１２１Ｆは、充電ボックス１２１Ｄの外面に設けられた図示せぬレールに係合可能な図示せぬ被ガイド部を有しており、被ガイド部が図示せぬレールに係合し案内されることにより、充電可能な位置にセットされる。
【００５９】
太陽電池１２１Ｇは左ベース２１Ａ上面に設けられており、充電ボックス１２１Ｄに装着された差込式のリチウムイオン電池２１Ｆとスライド式のリチウムイオン電池１２１Ｆとの両方に電気的に接続されている。このため、コンセントが近くにない場所であっても、太陽電池１２１Ｇにより発生した電力をリチウムイオン電池２１Ｆ、１２１Ｆに充電することができる。ユニバーサル充電器１２１Ｄ´、太陽電池１２１Ｇは電源部を構成する。
【００６０】
電源部はユニバーサル充電器１２１Ｄ´を有しているため、異なる種類のリチウムイオン電池２１Ｆ、１２１Ｆを装着して充電することができ、充電されたリチウムイオン電池２１Ｆ、１２１Ｆを用いてモータ３８を駆動させることができる。
【００６１】
また、ユニバーサル充電器１２１Ｄ´は、ベース２１内に収容されているため、ベース２１内のデッドスペースをユニバーサル充電器１２１Ｄ´の収容場所として有効活用することができる。また、ユニバーサル充電器１２１Ｄ´は、差込式リチウムイオン電池２１Ｆ及びスライド式リチウムイオン電池１２１Ｆを充電可能であるため、必要に応じてスライド式リチウムイオン電池１２１Ｆを用いたり差込式リチウムイオン電池２１Ｆを用いたりすることができる。
【００６２】
また、直流電源たる複数のリチウムイオン電池２１Ｆ、１２１Ｆを接続可能であるため、１つのリチウムイオン電池２１Ｆで駆動する場合と比較して大きな電力でモータ３８を駆動させることができる。
【００６３】
次に、第３の実施の形態について図１２乃至図１４に基づき説明する。第３の実施の形態では、交流モータ３８−１に代えて直流モータ３８−２が用いられている点、インバータ３８Ａに代えてＡＣ／ＤＣコンバータ３８Ｂが用いられている点で第１の実施の形態とは異なる。これ以外は第１の実施の形態と同一である。
【００６４】
図１２に示すように、卓上丸鋸１のモータ３８は直流モータ３８−２により構成されており、直流モータ３８−２はトリガスイッチ３７Ｄ及び手動スイッチ３７Ａ介して電源コード３７Ｅ及びＡＣ／ＤＣコンバータ３８Ｂに接続可能である。また、汎用充電器２１Ｄ´は電源コード３７Ｅに接続されており、電源コード３７Ｅを通して供給される交流電力によりリチウムイオン電池２１Ｆを充電可能である。充電ボックス２１Ｄに装着されたリチウムイオン電池２１Ｆは手動スイッチ３７Ａ及び直流モータ３８−２に接続されている。
【００６５】
図１２に示すように手動スイッチ３７Ａが切換えられたときには、交流電力がＡＣ／ＤＣコンバータ３８Ｂによって直流電力に変換され降圧され、直流モータ３８−２に供給される。図１３に示すように手動スイッチ３７Ａが切換えられたときには、リチウムイオン電池２１Ｆが供給する直流電力が直流モータ３８−２に供給されるように構成されている。ＡＣ／ＤＣコンバータ３８Ｂは電源部を構成する。
【００６６】
卓上丸鋸１を使用する際には、卓上丸鋸１のユーザは、図１４に示すように、先ず卓上丸鋸１の汎用充電器２１Ｄ´にリチウムイオン電池２１Ｆがセットされているか否かを判断する（Ｓ１１）。セットされていれば（Ｓ１１：ＹＥＳ）卓上丸鋸１がリチウムイオン電池２１Ｆからの直流電力の供給を受けることができる側にユーザは電源切り替えスイッチを切換える（Ｓ１２）。そして、ユーザはトリガスイッチ３７Ｄを操作することにより（Ｓ１３）直流モータ３８−２が駆動し、丸のこ刃３１が回転する。
【００６７】
セットされていなければ（Ｓ１１：ＮＯ）、次に、プラグ３７Ｆをコンセントに差込可能か否かの判断を行う（Ｓ１４）。プラグ３７Ｆをコンセントに差込可能であれば（Ｓ１４：ＹＥＳ）、ユーザはプラグ３７Ｆをコンセントに差し込み、卓上丸鋸１が交流電力の供給を受けることができる側にユーザは電源切り替えスイッチを切換える（Ｓ１５）。このことにより交流電力がＡＣ／ＤＣコンバータ３８Ｂにより直流電力に変換可能な状態となり（Ｓ１６）、ユーザがトリガスイッチ３７Ｄを操作することにより（Ｓ１３）、直流モータ３８−２が駆動し、丸のこ刃３１が回転する。プラグ３７Ｆをコンセントに差込不能であれば（Ｓ１４：ＮＯ）処理を終了する。
【００６８】
モータ３８は直流モータ３８−２からなり、電源部は交流電源からの電力を降圧させて直流モータ３８−２へ供給するため、交流電源に基づく電力により直流モータ３８−２を駆動させることができる。
【００６９】
次に、第４の実施の形態について図１５に基づき説明する。第４の実施の形態では、交流モータ３８−１に代えて交流ブラシレスモータが用いられている点で第１の実施の形態とは異なる。これ以外は第１の実施の形態と同一である。
【００７０】
卓上丸鋸１を使用する際には、卓上丸鋸１のユーザは、図１５に示すように、先ず卓上丸鋸１のプラグ３７Ｆをコンセントに差込可能か否かを判断し（Ｓ２１）、差込可能であれば（Ｓ２１：ＹＥＳ）、ユーザはプラグ３７Ｆをコンセントに差し込み、卓上丸鋸１が交流電力の供給を受けることができる側に電源切り替えスイッチを切換える（Ｓ２２）。するとモータ制御用インバータによるブラシレスモータの制御が可能な状態となり（Ｓ２３）、ユーザはトリガスイッチ３７Ｄを操作することにより（Ｓ２４）交流モータ３８−１が駆動し、丸のこ刃３１が回転する。
【００７１】
プラグ３７Ｆをコンセントに差込不能であれば（Ｓ２１：ＮＯ）、次にリチウムイオン電池２１Ｆが汎用充電器２１Ｄ´内にあるか否かを判断する（Ｓ２５）。リチウムイオン電池２１Ｆがあれば（Ｓ２５：ＹＥＳ）、卓上丸鋸１がリチウムイオン電池２１Ｆからの直流電力の供給を受けることができる側にユーザは電源切り替えスイッチを切換える（Ｓ２６）。このことによりインバータ３８Ａによって直流電力を交流電力に変換可能な状態となり（Ｓ２７）、また、モータ制御用インバータによるブラシレスモータの制御が可能な状態となる（Ｓ２３）。そして、ユーザがトリガスイッチ３７Ｄを操作することにより（Ｓ２４）、交流ブラシレスモータが駆動し、丸のこ刃３１が回転する。
【００７２】
次に、第５の実施の形態について図１６に基づき説明する。第５の実施の形態では、直流モータ３８−２に代えて直流ブラシレスモータが用いられている点で第３の実施の形態とは異なる。これ以外は第３の実施の形態と同一である。
【００７３】
卓上丸鋸１を使用する際には、卓上丸鋸１のユーザは、図１６に示すように、先ず卓上丸鋸１の汎用充電器２１Ｄ´にリチウムイオン電池２１Ｆがセットされているか否かを判断する（Ｓ３１）。セットされていれば（Ｓ３１：ＹＥＳ）卓上丸鋸１がリチウムイオン電池２１Ｆからの直流電力の供給を受けることができる側にユーザは電源切り替えスイッチを切換える（Ｓ３２）。するとモータ制御用インバータによるブラシレスモータの制御が可能な状態となり（Ｓ３３）、ユーザはトリガスイッチ３７Ｄを操作することにより（Ｓ３４）直流モータ３８−２が駆動し、丸のこ刃３１が回転する。
【００７４】
セットされていなければ（Ｓ３１：ＮＯ）、次に、プラグ３７Ｆをコンセントに差込可能か否かの判断を行う（Ｓ３５）。プラグ３７Ｆをコンセントに差込可能であれば（Ｓ３５：ＹＥＳ）、ユーザはプラグ３７Ｆをコンセントに差し込み、卓上丸鋸１が交流電力の供給を受けることができる側にユーザは電源切り替えスイッチを切換える（Ｓ３６）。すると交流電力をＡＣ／ＤＣコンバータ３８Ｂにより直流電力に変換することができ降圧することができる状態となり（Ｓ３７）また、モータ制御用インバータによるブラシレスモータの制御が可能な状態となる（Ｓ３３）。そして、ユーザがトリガスイッチ３７Ｄを操作することにより（Ｓ３４）、直流ブラシレスモータが駆動し、丸のこ刃３１が回転する。プラグ３７Ｆをコンセントに差込不能であれば（Ｓ３５：ＮＯ）処理を終了する。直流モータ３８−２はブラシレスモータからなるため、モータを収容する卓上丸鋸１の部分の小型を図ることができる。
【００７５】
次に、第６の実施の形態について図１７乃至図１９に基づき説明する。第６の実施の形態では、手動スイッチ３７Ａに代えて自動スイッチが用いられている点で第１の実施の形態とは異なる。これ以外は第１の実施の形態と同一である。
【００７６】
自動スイッチは、スイッチ部３７Ｈとスイッチ部操作部３７Ｉとにより構成されており、図１７、図１８に示すように第１実施の形態の手動スイッチ３７Ａに代えてスイッチ部３７Ｈが設けられ、スイッチ部操作部３７Ｉはスイッチ電源コード３７Ｅ及びスイッチ部３７Ｈに電気的に接続されている。スイッチ部操作部３７Ｉにより電源コード３７Ｅがコンセントに接続されているか否かを自動的に判断し、判断結果に応じて自動的にスイッチ部３７Ｈの切換を行うことができる。スイッチ部３７Ｈとスイッチ部操作部３７Ｉは自動スイッチに相当し電源部を構成する。
【００７７】
図１７に示す状態のときに、交流電力が交流モータ３８−１に供給される。図１８に示す状態のときに、リチウムイオン電池２１Ｆが供給する直流電力はインバータ３８Ａにより交流電力に変換され昇圧され、交流モータ３８−１に供給されるように構成されている。
【００７８】
卓上丸鋸１を使用する際には、卓上丸鋸１は、図１９に示すように、先ず卓上丸鋸１のプラグ３７Ｆをコンセントに差込可能か否かを判断し（Ｓ４１）、差込可能であれば（Ｓ４１：ＹＥＳ）、ユーザはプラグ３７Ｆをコンセントに差し込み、スイッチ部操作部３７Ｉは卓上丸鋸１が交流電力の供給を受けることができる側にスイッチ部３７Ｈを自動的に切換える（Ｓ４２）。そして、ユーザはトリガスイッチ３７Ｄを操作することにより（Ｓ４３）交流モータ３８−１が駆動し、丸のこ刃３１が回転する。
【００７９】
プラグ３７Ｆをコンセントに差込不能であれば（Ｓ４１：ＮＯ）、次にリチウムイオン電池２１Ｆが汎用充電器２１Ｄ´内にあるか否かを判断する（Ｓ４４）。リチウムイオン電池２１Ｆがあれば（Ｓ４４：ＹＥＳ）、スイッチ部操作部３７Ｉは卓上丸鋸１がリチウムイオン電池２１Ｆからの直流電力の供給を受けることができる側にスイッチ部３７Ｈを自動的に切換える（Ｓ４５）。このことにより直流電力がインバータ３８Ａにより交流電力に変換可能な状態となり（Ｓ４６）、ユーザがトリガスイッチ３７Ｄを操作することにより（Ｓ４３）交流モータ３８−１が駆動し、丸のこ刃３１が回転する。リチウムイオン電池２１Ｆがなければ（Ｓ４４：ＮＯ）、処理を終了する。
【００８０】
スイッチ部３７Ｈとスイッチ部操作部３７Ｉとからなる自動スイッチを有するため、卓上丸鋸１のユーザが手動スイッチ３７Ａの切換えを行わずに済み、卓上丸鋸１の操作性を高めることができる。
【００８１】
また、スイッチ部３７Ｈとスイッチ部操作部３７Ｉとからなる自動スイッチは、電源部に交流電源が接続されている場合には交流電源に基づく電力をモータ３８へ供給可能に切換わり、交流電源が接続されていない場合には直流電源に基づく電力をモータ３８へ供給可能に切換わるため、直流電源と交流電源との両方を利用可能な状態のときに、交流電源を優先的に利用することができる。
【００８２】
次に、第７の実施の形態について図２０乃至図２１に基づき説明する。第６の実施の形態では、手動スイッチ３７Ａに代えて自動スイッチが用いられている点で第３の実施の形態とは異なる。これ以外は第３の実施の形態と同一である。
【００８３】
自動スイッチは、第６の実施の形態と同様にスイッチ部３７Ｈとスイッチ部操作部３７Ｉとにより構成されており、図２０、図２１に示すように第３の実施の形態の手動スイッチ３７Ａに代えてスイッチ部３７Ｈが設けられ、スイッチ部操作部３７Ｉはスイッチ電源コード３７Ｅ及びスイッチ部３７Ｈに電気的に接続されている。スイッチ部操作部３７Ｉによりスイッチ部３７Ｈの切換を自動的に行うことができる。図２０に示す状態のときに、交流電力が直流電力に変換され降圧され直流モータ３８−２に供給される。図２１に示す状態のときに、リチウムイオン電池２１Ｆからの直流電力が直流モータ３８−２に供給される。
【００８４】
次に、第８の実施の形態について図２２に基づき説明する。第８の実施の形態では、交流電源からの電力の供給により交流モータ３８−１が駆動している最中にリチウムイオン電池２１Ｆの充電を行う制御をする点で第１の実施の形態とは異なる。これ以外は第１の実施の形態と同一である。
【００８５】
卓上丸鋸１を使用する際には、卓上丸鋸１は、図２２に示すように、先ず卓上丸鋸１の汎用充電器２１Ｄ´にリチウムイオン電池２１Ｆがセットされているか否かを判断する（Ｓ５１）。セットされていれば（Ｓ５１：ＹＥＳ）次にリチウムイオン電池２１Ｆの残量があるか否かの判断をする（Ｓ５２）。リチウムイオン電池２１Ｆの残量があれば（Ｓ５２：ＹＥＳ）、次に、卓上丸鋸１がリチウムイオン電池２１Ｆからの直流電力の供給を受けることができる側にユーザは電源切り替えスイッチを切換える（Ｓ５３）。このことによりリチウムイオン電池２１Ｆからの直流電力がインバータ３８Ａにより交流電力可能かつ昇圧可能な状態となり（Ｓ５４）、ユーザがトリガスイッチ３７Ｄを操作することにより（Ｓ５５）交流モータ３８−１が駆動し、丸のこ刃３１が回転する。
【００８６】
リチウムイオン電池２１Ｆがセットされていなければ（Ｓ５１：ＮＯ）、次に、プラグ３７Ｆをコンセントに差込可能か否かの判断を行う（Ｓ５６）。プラグ３７Ｆをコンセントに差込可能であれば（Ｓ５６：ＹＥＳ）、ユーザはプラグ３７Ｆをコンセントに差し込み、卓上丸鋸１が交流電力の供給を受けることができる側にユーザは電源切り替えスイッチを切換える（Ｓ５７）。そして、ユーザはトリガスイッチ３７Ｄを操作することにより（Ｓ５５）、交流電力が交流モータ３８−１へ供給され交流モータ３８−１が駆動し、丸のこ刃３１が回転する。プラグ３７Ｆをコンセントに差込不能であれば（Ｓ５６：ＮＯ）処理を終了する。
【００８７】
次にリチウムイオン電池２１Ｆの残量がない場合には（Ｓ５２：ＮＯ）、次に、プラグ３７Ｆをコンセントに差込可能か否かの判断を行う（Ｓ５８）。プラグ３７Ｆをコンセントに差込可能であれば（Ｓ５８：ＹＥＳ）、ユーザがプラグ３７Ｆをコンセントに差し込むことにより、汎用充電器２１Ｄ´に交流電力が供給されリチウムイオン電池２１Ｆの充電が行われる（Ｓ５９）。次に、卓上丸鋸１が交流電力の供給を受けることができる側にユーザは電源切り替えスイッチを切換える（Ｓ５７）。そして、ユーザはトリガスイッチ３７Ｄを操作することにより（Ｓ５５）、交流電力が交流モータ３８−１へ供給され交流モータ３８−１が駆動し、丸のこ刃３１が回転する。プラグ３７Ｆをコンセントに差込不能であれば（Ｓ５６：ＮＯ）処理を終了する。
【００８８】
モータ３８とユニバーサル充電器１２１Ｄ´とに対して同時に電力を供給可能であるため、交流電源を用いてモータ３８を駆動して切断作業をすると同時にリチウムイオン電池２１Ｆを充電することができる。電池の残量が少ない場合、特にリチウムイオン電池は、過放電状態になると電池寿命が著しく低下してしまうため、過放電状態にならないように保護装置を有する構成としてもよい。例えば、スイッチ部操作部３７Ｉを電源コード３７Ｅに接続するだけでなく、汎用充電器２１Ｄ´の出力側（すなわちスイッチ部３７Ｈに接続されている側）に保護装置を接続し、電池の残量を検出するように構成し、残量が少なくなった場合、すなわち電池が過放電状態間近になったことを検出したら、自動的にスイッチ部３７Ｈをオープン状態（電池側との接続を遮断する状態）に切り替えるようにすることで、二次電池を保護することができる。また、電池に流れる電流が大きい過電流状態をスイッチ部操作部３７Ｉで検出することで、自動的にスイッチ部３７Ｈをオープン状態（電池側との接続を遮断する状態）に切り替えるようにすることで、過電流を防止することもできる。これらの結果、電池が破損してしまうことを防止することができる。
【００８９】
次に、第９の実施の形態について図２３に基づき説明する。第９の実施の形態では、汎用充電器１２１Ｄ´を有する充電ボックス１２１Ｄが切断部１０３に設けられている点で第１の実施の形態とは異なる。充電ボックス１２１Ｄは切断部１０３の一部であってモータ３８が収容されている切断部１０３の部分１０３Ｂの上方に設けられている。
【００９０】
切断部１０３においてモータ３８が収容されている部分１０３Ｂは右方向へ突出しており、充電ボックス１２１Ｄ及び汎用充電器１２１Ｄ´は、当該右方向へ突出している切断部１０３の最右端よりも右方向には突出していない。また、上下方においては充電ボックス１２１Ｄ及び汎用充電器１２１Ｄ´の上端は、ハンドル３７の上端よりも下方に位置している。従って、充電ボックス１２１Ｄは、切断部１０３の外形輪郭よりも右方向及び上方向に突出していない。このため、ユーザが切断作業を行っているときに、充電ボックス１２１Ｄ及び汎用充電器１２１Ｄ´が邪魔になることを防止することができる。さらに、充電ボックス１２１Ｄの重さにより切断部１０３を下方へ揺動する際（切断時）の力を小さくすることができ、作業性を向上することができる。
【００９１】
本発明の切断機は、上述した実施の形態に限定されず、特許請求の範囲に記載した範囲で種々の変形や改良が可能である。例えば、本実施の形態では、切断機は卓上丸鋸１であったが、卓上丸鋸１に限定されない。例えば、図２４に示すようないわゆる定置式バンドソー２０１や、図２５に示すようないわゆるテーブルソー３０１に応用してもよい。図２４に示すような定置式バンドソー２０１の場合には、汎用充電器２２１Ｄ´を有する充電ボックス２２１Ｄは、例えば、被切断材を載置するためのベース２２１内に収納されて設けられればよい。図２５に示すようなテーブルソー３０１の場合には、汎用充電器３２１Ｄ´を有する充電ボックス３２１Ｄは、例えば、被切断材を載置するためのテーブル３２２の下面に固定されて設けられればよい。このような構成とすることにより、充電ボックスが切断作業の邪魔になることなく、あらゆる場所での作業を可能にすることができる。
【００９２】
また、本実施の形態ではリチウムイオン電池２１Ｆを充電可能な汎用充電器が設けられていたが、ニカド充電池やニッケル水素充電池等の他の種類の充電池を充電可能な充電器が設けられていてもよい。また、二次電池としては、リチウムイオン電池に限定されず、ニカド電池、ニッケル水素電池等でもよい。
【００９３】
また、本実施の形態では、図示せぬ長穴は、ホルダ４０がターンテーブル２２上面に対して垂直の状態から左側へ４５°程度傾動できる範囲内で形成されており、この構成によりホルダ４０は片方（図２の下側）のみに傾斜可能になっていたが、左右それぞれ４５°程度傾斜できるように長穴を形成して、ホルダ４０が左右両方に傾斜可能としてもよい。
【００９４】
また、第８の実施の形態において手動スイッチに代えて自動スイッチを用いてもよい。
【産業上の利用可能性】
【００９５】
本発明の切断機は、特に電力がモータに供給されてモータが駆動することにより切断刃が駆動する切断機の分野において特に有用である。
【符号の説明】
【００９６】
１・・・卓上丸鋸  ２・・・ベース部  ３・・・切断部  ２１・・・ベース  ２１Ｄ´・・・汎用充電器  ２１Ｆ・・・リチウムイオン電池  ２２・・・ターンテーブル  ３１・・・丸のこ刃  ３７・・・ハンドル  ３７Ａ・・・手動スイッチ  ３７Ｂ・・・電池残量ランプ  ３７Ｃ・・・駆動電源表示ランプ  ３７Ｄ・・・トリガスイッチ  ３７Ｈ・・・スイッチ部  ３７Ｉ・・・スイッチ部操作部  ３８・・・モータ  ３８−１・・・交流モータ  ３８−２・・・直流モータ  １２１Ｆ・・・リチウムイオン電池  １２１Ｇ・・・太陽電池  
【図１】
0005454904.tif 000002
【図２】
0005454904.tif 000003
【図３】
0005454904.tif 000004
【図４】
0005454904.tif 000005
【図５】
0005454904.tif 000006
【図６】
0005454904.tif 000007
【図７】
0005454904.tif 000008
【図８】
0005454904.tif 000009
【図９】
0005454904.tif 000010
【図１０】
0005454904.tif 000011
【図１１】
0005454904.tif 000012
【図１２】
0005454904.tif 000013
【図１３】
0005454904.tif 000014
【図１４】
0005454904.tif 000015
【図１５】
0005454904.tif 000016
【図１６】
0005454904.tif 000017
【図１７】
0005454904.tif 000018
【図１８】
0005454904.tif 000019
【図１９】
0005454904.tif 000020
【図２０】
0005454904.tif 000021
【図２１】
0005454904.tif 000022
【図２２】
0005454904.tif 000023
【図２３】
0005454904.tif 000024
【図２４】
0005454904.tif 000025
【図２５】
0005454904.tif 000026